(57)【特許請求の範囲】
【請求項１】
移動局と無線通信を行う無線部と、
第１の交換機に属する他の無線基地局と処理負荷情報を共有するインタフェースと、
前記処理負荷情報に基づき推定した前記第１の交換機に係るシステムの処理負荷が第１の閾値以上であり、かつ自己の処理負荷が第２の閾値以上である場合、第２の交換機に属する無線基地局を選択し、前記移動局の通信パケットを前記第２の交換機に属する無線基地局に対し前記インタフェースにより転送するか、又は、前記移動局を前記第２の交換機に属する無線基地局にハンドオーバさせる制御部と、
を有することを特徴とする無線基地局。
【請求項２】
前記制御部は、前記第２の交換機に属する無線基地局を複数選択し、前記移動局の通信パケットを、前記第２の交換機に属する複数の無線基地局に対し前記インタフェースにより転送することを特徴とする請求項１に記載の無線基地局。
【請求項３】
移動局と無線通信を行うステップと、
自己の処理負荷情報を算出するステップと、
第１の交換機に属する他の無線基地局と処理負荷情報を所定のインタフェースで共有するステップと、
前記処理負荷情報に基づき、前記第１の交換機に係るシステムの処理負荷を推定するステップと、
推定した前記第１の交換機に係るシステムの処理負荷が第１の閾値以上であり、かつ自己の処理負荷が第２の閾値以上である場合、第２の交換機に属する無線基地局を選択するステップと、
前記移動局の通信パケットを前記第２の交換機に属する無線基地局に対し前記インタフェースにより転送するか、又は、前記移動局を前記第２の交換機に属する無線基地局にハンドオーバさせるステップと、
を含む無線基地局の制御方法。
【請求項４】
前記選択するステップは、前記第２の交換機に属する無線基地局を複数選択し、
前記移動局の通信パケットを、前記第２の交換機に属する複数の無線基地局に対し前記インタフェースにより転送することを特徴とする請求項３に記載の無線基地局の制御方法。
【請求項５】
無線基地局として機能するコンピュータに、
移動局と無線通信を行う手順と、
自己の処理負荷情報を算出する手順と、
第１の交換機に属する他の無線基地局と処理負荷情報を所定のインタフェースで共有する手順と、
前記処理負荷情報に基づき、前記第１の交換機に係るシステムの処理負荷を推定する手順と、
推定した前記第１の交換機に係るシステムの処理負荷が第１の閾値以上であり、かつ自己の処理負荷が第２の閾値以上である場合、第２の交換機に属する無線基地局を選択する手順と、
前記移動局の通信パケットを前記第２の交換機に属する無線基地局に対し前記インタフェースにより転送するか、又は、前記移動局を前記第２の交換機に属する無線基地局にハンドオーバさせる手順と、
を実行させる無線基地局の制御プログラム。
【請求項６】
前記選択する手順は、前記第２の交換機に属する無線基地局を複数選択し、
前記移動局の通信パケットを、前記第２の交換機に属する複数の無線基地局に対し前記インタフェースにより転送することを特徴とする請求項５に記載の無線基地局の制御プログラム。
【発明の詳細な説明】
【技術分野】
【０００１】
本発明は、無線基地局、無線基地局の制御方法、及び無線基地局の制御プログラムに関する。
【背景技術】
【０００２】
従来の移動通信システムでは、ある特定の地域等でその場所に存在する複数の移動局が一斉に通信を開始した場合、交換機の処理能力を超えてしまい通常の送受信が困難な状態、いわゆる異常輻輳が発生する。この異常輻輳が発生すると、回線交換ネットワーク又はパケット交換ネットワークにおいて全ての処理が規制又は禁止されるため、移動局は発着信処理や位置登録処理を行うことができない。
【０００３】
現在の３ＧＰＰ標準仕様では、この異常輻輳の対策として、Ｄｏｍａｉｎ Ｓｐｅｃｉｆｉｃ Ａｃｃｅｓｓ Ｃｏｎｔｒｏｌ（以下、ＤＳＡＣという。）が規定されている。ＤＳＡＣは、ネットワークにおいて異常輻輳が発生し、通常の送受信が困難な状態になると、回線交換機における処理とパケット交換機における処理とを分けて規制するように構成されている（例えば非特許文献１）。
【先行技術文献】
【非特許文献】
【０００４】
【非特許文献１】3GPP TR23.898、“Technical Specification Group Services and System Aspects Access Class Barring and Overload Protection(Release 7)”、２００５年３月、[online]、［２０１１年８月１０日検索］ <URL http://www.quintillion.co.jp/3GPP/Specs/23898-700.pdf>
【発明の概要】
【発明が解決しようとする課題】
【０００５】
各無線基地局は自己のエリア内の複数の移動局と通信を行い、移動局のパケットデータを、Ｓ１インタフェースを介して交換機に送信する。このため各無線基地局のエリア内の移動局のパケットデータ容量が増加した場合、Ｓ１インタフェースのトラフィックが増加し、移動局のスループットが低下する。３ＧＰＰのＤＳＡＣでは音声用トラフィックとパケット用のトラフィックの配分を独立して変化させることによって輻輳制御を行なっている。しかし、ネットワークトラフィックの最大容量が増加するわけではないため、処理負荷が所定の無線基地局に集中した場合では対応できない。
【０００６】
従って、上記のような問題点に鑑みてなされた本発明の目的は、複数の移動局との通信による無線基地局の処理負荷の集中を他の無線基地局に分散させることにより異常輻輳を防止できる無線基地局、無線基地局の制御方法、及び無線基地局の制御プログラムを提供することにある。
【課題を解決するための手段】
【０００７】
上記課題を解決するために本発明に係る無線基地局は、
移動局と無線通信を行う無線部と、
第１の交換機に属する他の無線基地局と処理負荷情報を共有するインタフェースと、
前記処理負荷情報に基づき推定した前記第１の交換機に係るシステムの処理負荷が第１の閾値以上であり、かつ自己の処理負荷が第２の閾値以上である場合、第２の交換機に属する無線基地局を選択し、前記移動局の通信パケットを前記第２の交換機に属する無線基地局に対し前記インタフェースにより転送するか、又は、前記移動局を前記第２の交換機に属する無線基地局にハンドオーバさせる制御部と、
を有することを特徴とする。
【０００８】
また本発明に係る無線基地局は、
前記制御部が、前記第２の交換機に属する無線基地局を複数選択し、前記移動局の通信パケットを、前記第２の交換機に属する複数の無線基地局に対し前記インタフェースにより転送することを特徴とする。
【０００９】
また本発明に係る無線基地局の制御方法は、
移動局と無線通信を行うステップと、
自己の処理負荷情報を算出するステップと、
第１の交換機に属する他の無線基地局と処理負荷情報を所定のインタフェースで共有するステップと、
前記処理負荷情報に基づき、前記第１の交換機に係るシステムの処理負荷を推定するステップと、
推定した前記第１の交換機に係るシステムの処理負荷が第１の閾値以上であり、かつ自己の処理負荷が第２の閾値以上である場合、第２の交換機に属する無線基地局を選択するステップと、
前記移動局の通信パケットを前記第２の交換機に属する無線基地局に対し前記インタフェースにより転送するか、又は、前記移動局を前記第２の交換機に属する無線基地局にハンドオーバさせるステップと、
を含むことを特徴とする。
【００１０】
また本発明に係る無線基地局の制御方法は、
前記選択するステップが、前記第２の交換機に属する無線基地局を複数選択し、
前記移動局の通信パケットを、前記第２の交換機に属する複数の無線基地局に対し前記インタフェースにより転送することを特徴とする。
【００１１】
また本発明に係る無線基地局の制御プログラムは、
無線基地局として機能するコンピュータに、
移動局と無線通信を行う手順と、
自己の処理負荷情報を算出する手順と、
第１の交換機に属する他の無線基地局と処理負荷情報を所定のインタフェースで共有する手順と、
前記処理負荷情報に基づき、前記第１の交換機に係るシステムの処理負荷を推定する手順と、
推定した前記第１の交換機に係るシステムの処理負荷が第１の閾値以上であり、かつ自己の処理負荷が第２の閾値以上である場合、第２の交換機に属する無線基地局を選択する手順と、
前記移動局の通信パケットを前記第２の交換機に属する無線基地局に対し前記インタフェースにより転送するか、又は、前記移動局を前記第２の交換機に属する無線基地局にハンドオーバさせる手順と、
を実行させることを特徴とする。
【００１２】
また本発明に係る無線基地局の制御プログラムは、
前記選択する手順が、前記第２の交換機に属する無線基地局を複数選択し、
前記移動局の通信パケットを、前記第２の交換機に属する複数の無線基地局に対し前記インタフェースにより転送することを特徴とする。
【発明の効果】
【００１３】
本発明における無線基地局、無線基地局の制御方法、及び無線基地局の制御プログラムによれば、複数の移動局との通信による無線基地局に係る処理負荷を、他の無線基地局に分散させることにより異常輻輳を防止することができる。
【図面の簡単な説明】
【００１４】
【図１】本発明の一実施形態に係る無線基地局及び交換機を備えるシステムの概要図である。
【図２】本発明の一実施形態に係る無線基地局のブロック図である。
【図３】本発明の一実施形態に係る無線基地局の動作を示すフローチャートである。
【発明を実施するための形態】
【００１５】
以下、本発明の実施の形態について説明する。
【００１６】
（実施の形態）
【００１７】
図１は本発明の一実施形態に係る無線基地局及び交換機を備えるシステムを示す概要図である。本発明は、好ましくはＬＴＥにおける無線基地局及び交換機に適用される。そのため、本実施形態では、以下において無線基地局をｅＮｏｄｅＢ（発展型ノードＢ。以下、ｅＮＢという。）として説明し、交換機は、ＭＭＥ／Ｓ−ＧＷ（Ｍｏｂｉｌｉｔｙ Ｍａｎａｇｅｍｅｎｔ Ｅｎｔｉｔｙ／Ｓｅｒｖｉｎｇ Ｇａｔｅｗａｙ）として説明し、また移動局をＵＥ（Ｕｓｅｒ Ｅｑｕｉｐｍｅｎｔ）として説明する。
【００１８】
図１に示すように、本発明の一実施形態に係る無線基地局及び交換機を備えるシステムは、第１のｅＮＢ１ａと、第２のｅＮＢ１ｂと、第３のｅＮＢ１ｃと、第１のＭＭＥ／Ｓ−ＧＷ２ａと、第２のＭＭＥ／Ｓ−ＧＷ２ｂとを備える。第１のｅＮＢ１ａと、第２のｅＮＢ１ｂと、第３のｅＮＢ１ｃとは互いにＸ２インタフェースを介して通信する。また第１のｅＮＢ１ａ及び第２のｅＮＢ１ｂは、それぞれ第１のＭＭＥ／Ｓ−ＧＷ２ａと、Ｓ１インタフェースを介して通信する。一方第２のｅＮＢ１ｂ及び第３のｅＮＢ１ｃは、それぞれ第２のＭＭＥ／Ｓ−ＧＷ２ｂと、Ｓ１インタフェースを介して通信する。第１のｅＮＢ１ａと、第２のｅＮＢ１ｂと、第３のｅＮＢ１ｃにはそれぞれ自己のエリア内の１又は複数のＵＥが接続される。当該構成は、３ＧＰＰにおいて仕様が標準化されており、Ｅ−ＵＴＲＡＮと呼ばれる。
【００１９】
なお図１においては、無線基地局として、第１のｅＮＢ１ａ、第２のｅＮＢ１ｂ、及び第３のｅＮＢ１ｃの３つの無線基地局を図示し、また、交換機として第１のＭＭＥ／Ｓ−ＧＷ２ａ、及び第２のＭＭＥ／Ｓ−ＧＷ２ｂの２つの交換機を図示しているが、これに限られない。例えば無線基地局の数及び交換機の数はこれより多くてもよい。
【００２０】
図２は本発明の一実施形態に係る第１のｅＮＢ１ａのブロック図である。本発明の一実施形態１に係る第１のｅＮＢ１ａは、アンテナ１１と、無線部１２と、制御部１３と、インタフェース１４とを備える。第２のｅＮＢ１ｂ及び第３のｅＮＢ１ｃも同一の構成であるため説明は省略する。
【００２１】
アンテナ１１は、第１のｅＮＢ１ａと無線により接続されるＵＥとパケットの通信をする。
【００２２】
無線部１２は、アンテナ１１を介してＵＥと通信を行う。具体的には無線部１２は、アンテナ１１により通信するパケットの変調及び復調を行い、第１のｅＮＢ１ａが処理可能なデータ形式に変換等する。
【００２３】
制御部１３は、無線部１２が変換等したデータを、インタフェース１４を介して第１のＭＭＥ／Ｓ−ＧＷ２ａと通信する等、第１のｅＮＢ１ａに係る各種処理を行う。また制御部１３は、第１のｅＮＢ１ａの処理負荷を算出し、当該処理負荷が第２の閾値以上であるか否かを判定する。また制御部１３は、インタフェース１４を介して当該処理負荷に係る情報（以下、処理負荷情報という。）を共有する。そして制御部１３は、共有した他のｅＮＢの処理負荷情報に基づき、第１のＭＭＥ／Ｓ−ＧＷ２ａに係るシステム全体の処理負荷が第１の閾値以上であるか否かを判定する。なお処理負荷は、接続されるＵＥの数及びＵＥの通信パケット量に依存する。
【００２４】
また制御部１３は、システム全体の処理負荷が第１の閾値以上であり、かつ自己の処理負荷が第２の閾値以上である場合、システム全体の処理負荷を分散させるため、新たな接続先であるｅＮＢを選択する。また制御部１３は、選択した新たな接続先のｅＮＢが処理可能な処理負荷量を算出し、転送するパケット量の上限を定める。また制御部１３は、第１のｅＮＢ１ａに接続するＵＥを、新たな接続先のｅＮＢにハンドオーバさせるか、または当該ＵＥに係るパケットを、後述するＸ２インタフェースを介して新たな接続先のｅＮＢに転送する。
【００２５】
インタフェース１４は、第１のｅＮＢ１ａが、第１のＭＭＥ／Ｓ−ＧＷ２ａ、第２のｅＮＢ１ｂ及び第３のｅＮＢ１ｃと通信するために用いられる。インタフェース１４のうち、Ｓ１インタフェースは第１のｅＮＢ１ａが第１のＭＭＥ／Ｓ−ＧＷ２ａと通信するために用いられ、Ｘ２インタフェースは、第１のｅＮＢ１ａが第２のｅＮＢ１ｂ及び第３のｅＮＢ１ｃと通信するために用いられる。
【００２６】
記憶部１５は、第１のｅＮＢ１ａに係る各種情報を格納する。例えば記憶部１５は、制御部１３が繰り返し処理を行う際に用いるカウンタ用の変数ｉを格納する。
【００２７】
次に、本発明に係る第１のｅＮＢ１ａについて、図３に示すフローチャートによりその動作を説明する。
【００２８】
はじめに第１のｅＮＢ１ａの制御部１３は、第１のｅＮＢ１ａの処理負荷情報を算出し、インタフェース１４のＸ２インタフェースにより、同一のＭＭＥ／Ｓ−ＧＷ、すなわち第１のＭＭＥ／Ｓ−ＧＷ２ａに属する他のｅＮＢと処理負荷情報を共有する（ステップＳ１）。すなわち第１のｅＮＢ１ａの制御部１３は、算出した第１のｅＮＢ１ａの処理負荷情報を、インタフェース１４のＸ２インタフェースを介して、第１のＭＭＥ／Ｓ−ＧＷ２ａに属する他のｅＮＢに送信する。また、第１のＭＭＥ／Ｓ−ＧＷ２ａに属する他のｅＮＢが算出した各処理負荷情報を、インタフェース１４のＸ２インタフェースを介して受信する。
【００２９】
次に、第１のｅＮＢ１ａの制御部１３は、第１のＭＭＥ／Ｓ−ＧＷ２ａに係るシステム全体の処理負荷が第１の閾値以上であるか否かを判定する（ステップＳ２）。すなわち第１のｅＮＢ１ａの制御部１３は、ステップＳ１により共有した各ｅＮＢの処理負荷情報に基づき、システム全体、つまり第１のＭＭＥ／Ｓ−ＧＷ２ａに属する全ｅＮＢの処理負荷及び第１のＭＭＥ／Ｓ−ＧＷ２ａの処理負荷の合計値を推定する。また制御部１３は、推定したシステム全体の処理負荷が第１の閾値以上であるか否かを判定する。システム全体の処理負荷が第１の閾値以上である場合、ステップＳ３に進む。一方、システム全体の処理負荷が第１の閾値未満である場合、処理が終了する。
【００３０】
システム全体の処理負荷が第１の閾値以上である場合、続いて第１のｅＮＢ１ａの制御部１３は、自己、すなわち第１のｅＮＢ１ａの処理負荷が第２の閾値以上であるか否かを判定する（ステップＳ３）。第１のｅＮＢ１ａの処理負荷が第２の閾値以上である場合、ステップＳ４に進む。一方第１のｅＮＢ１ａの処理負荷が第２の閾値未満である場合、処理が終了する。
【００３１】
第１のｅＮＢ１ａの処理負荷が第２の閾値以上である場合、第１のｅＮＢ１ａの制御部１３は、システム全体の処理負荷を分散させるため、第１のｅＮＢ１ａに接続するＵＥの新たな接続先であるｅＮＢを選択する（ステップＳ４）。新たな接続先であるｅＮＢは、第１のｅＮＢ１ａが属する第１のＭＭＥ／Ｓ−ＧＷ２ａとは異なるＭＭＥ／Ｓ−ＧＷに属する無線基地局であればよく、例えば第２のＭＭＥ／Ｓ−ＧＷ２ｂに属する無線基地局である。従って図１における第２のｅＮＢ１ｂ又は第３のｅＮＢ１ｃが該当する。すなわち、第１のｅＮＢ１ａは、第１のＭＭＥ／Ｓ−ＧＷ２ａに係る処理負荷を低減するために、第２のＭＭＥ／Ｓ−ＧＷ２ｂに属するｅＮＢに無線通信に係る処理を行わせる。以下では、新たな接続先であるｅＮＢとして第２のｅＮＢ１ｂを選択したとして説明するが、第３のｅＮＢ１ｃを選択してもよい。
【００３２】
次のステップにおいて第１のｅＮＢ１ａの制御部１３は、ステップＳ４にて選択した第２のｅＮＢ１ｂが処理可能な処理負荷量を算出する（ステップＳ５）。当該処理負荷量は、第１のｅＮＢ１ａがインタフェース１４のＸ２インタフェースを介して受信した第２のｅＮＢ１ｂの処理負荷に基づき算出される。当該処理負荷量に基づき、第１のｅＮＢ１ａの制御部１３は、第２のｅＮＢ１ｂに転送するパケット量の上限を定める。
【００３３】
続くステップＳ６〜ステップＳ１０においては、第１のｅＮＢ１ａに接続するＵＥに対し、１番目のＵＥから順番に各ＵＥに対して所定の処理を繰り返し行う。なおＵＥの番号は適宜割り当てられる。第１のｅＮＢ１ａの制御部１３は、記憶部１５に格納されたカウンタ用の変数ｉをインクリメントすることにより繰り返し処理を実現する。以下、当該処理を詳説する。
【００３４】
まず、第１のｅＮＢ１ａの制御部１３は、記憶部１５に格納されたカウンタ用の変数ｉを１にする（ステップＳ６）。続いて第１のｅＮＢ１ａの制御部１３は、第１のｅＮＢ１ａに接続するｉ番目のＵＥ（ここでは１番目のＵＥ）が、第２のｅＮＢ１ｂにハンドオーバ可能か否かを判定する（ステップＳ７）。ここで第１のｅＮＢ１ａに接続するｉ番目のＵＥがハンドオーバできるか否かは、第２のｅＮＢ１ｂと、ｉ番目のＵＥとの距離に依存する。ハンドオーバできる場合にはステップＳ８に進む。一方ハンドオーバできない場合にはステップＳ９に進む。
【００３５】
ステップＳ７において、制御部１３がハンドオーバできると判定した場合、制御部１３は、ｉ番目のＵＥを第２のｅＮＢ１ｂにハンドオーバさせる（ステップＳ８）。そしてステップＳ１０に進む。なおハンドオーバさせた場合には、該ＵＥに係る全ての処理を第２のｅＮＢ１ｂに行わせるため、第１のｅＮＢ１ａへの処理負荷の集中を効率よく分散することができる。
【００３６】
ステップＳ７において、制御部１３がハンドオーバできないと判定した場合、制御部１３は、インタフェース１４のＸ２インタフェースを介して、ｉ番目のＵＥに係るパケットを第２のｅＮＢ１ｂに転送する（ステップＳ９）。そして第２のｅＮＢ１ｂは、Ｓ１インタフェースを介して、当該パケットを第２のＭＭＥ／Ｓ−ＧＷ２ｂに送信する。このようにすることで、第１のｅＮＢ１ａのインタフェース１４のＳ１インタフェースを使わないで済むため、第１のｅＮＢ１ａ及び第１のＭＭＥ／Ｓ−ＧＷ２ａの負荷を分散することができる。
【００３７】
続いて、第１のｅＮＢ１ａの制御部１３は、ｉの値が第３の閾値以上であるかを判定する（ステップＳ１０）。ｉの値が第３の閾値以上の場合、処理が終了する。一方でｉの値が第３の閾値未満の場合、記憶部１５に格納されたｉの値をインクリメントし（ステップＳ１１）、ステップＳ７〜ステップＳ１０の処理を繰り返す。なお第３の閾値は、第２のｅＮＢ１ｂに転送するパケット量の上限、第１のｅＮＢ１ａの処理負荷量及びシステム全体の処理量に基づき適宜定められる。
【００３８】
このように本発明によれば、第１のｅＮＢ１ａの制御部１３が、インタフェース１４のＸ２インタフェースを介して第１のＭＭＥ／Ｓ−ＧＷ２ａに属する全ｅＮＢの処理負荷を共有し、システム全体の処理負荷及び第１のｅＮＢ１ａの処理負荷が所定の閾値以上の場合に、第１のｅＮＢ１ａに係る処理負荷を、第２のＭＭＥ／Ｓ−ＧＷ２ｂに属するｅＮＢに分散する。このため、異常輻輳を防止することができる。
【００３９】
なお上記の例では、ステップＳ４において第１のｅＮＢ１ａの制御部１３が新たな接続先として、ひとつの無線基地局、すなわち第２のｅＮＢ１ｂのみを選択しているが、制御部１３は、複数の無線基地局を選択してもよい。この場合は、ステップＳ６〜ステップＳ１０において、ハンドオーバさせる先の無線基地局、またはＵＥに係るパケットをＸ２インタフェースで転送する先の無線基地局が複数になり、より第１のｅＮＢ１ａ及びシステム全体に係る処理負荷を分散させることができる。
【００４０】
なおステップＳ８において、ハンドオーバさせる先のｅＮＢは、ステップＳ４において選択したｅＮＢ、すなわち第２のｅＮＢ１ｂに限らず、異なるＭＭＥ／Ｓ−ＧＷ（例えば第２のＭＭＥ／Ｓ−ＧＷ２ｂ）に属する無線基地局であればよい。したがってハンドオーバさせる先のｅＮＢは、第３のｅＮＢ１ｃであってもよい。このようにハンドオーバさせる先のｅＮＢを、ステップＳ４において選択したｅＮＢ以外の無線基地局とすることにより、より第１のｅＮＢ１ａ及びシステム全体に係る処理負荷を分散させることができる。
【００４１】
なおハンドオーバさせる先のｅＮＢがステップＳ４において選択したｅＮＢ以外のｅＮＢを含む場合、ステップＳ９において、第２のｅＮＢ１ｂが処理可能な処理負荷量を再度算出し、更新してもよい。すなわち、第２のｅＮＢ１ｂにハンドオーバ又はＸ２インタフェースで転送した場合のみ第２のｅＮＢ１ｂの処理負荷は増加し、新たな接続先以外のｅＮＢにＵＥをハンドオーバさせた場合には、第２のｅＮＢ１ｂの処理負荷は増加しない。したがって、ステップＳ９において、第２のｅＮＢ１ｂが処理可能な処理負荷量を更新することにより、より正確に第２のｅＮＢ１ｂの許容可能な処理負荷を算出することができ、システム全体の負荷をより分散することができる。
【００４２】
なお上記の例では、ステップＳ６〜ステップＳ１０において、各ＵＥの番号は適宜割り当てられるとしたが、ｅＮＢ１ａは、自局に接続する各ＵＥの処理負荷を予め認識し、処理負荷の低いＵＥから順番に番号を割り当ててもよい。このように割り当てた場合、ｅＮＢ１ａは、ステップＳ６〜ステップＳ１０の繰り返し処理を処理負荷の低いＵＥから順番に行うことになる。
【００４３】
ここで、第１のｅＮＢ１ａとして機能させるために、コンピュータを好適に用いることができ、そのようなコンピュータは、第１のｅＮＢ１ａの各機能を実現する処理内容を記述したプログラムを、当該コンピュータのメモリに格納しておき、当該コンピュータの中央演算処理装置（ＣＰＵ）によってこのプログラムを読み出して実行させることで実現することができる。
【００４４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００４５】
１ａ  第１のｅＮＢ
１ｂ  第２のｅＮＢ
１ｃ  第３のｅＮＢ
２ａ  第１のＭＭＥ／Ｓ−ＧＷ
２ｂ  第２のＭＭＥ／Ｓ−ＧＷ
１１  アンテナ
１２  無線部
１３  制御部
１４  インタフェース
１５  記憶部
【図１】
0005718208.tif 000002
【図２】
0005718208.tif 000003
【図３】
0005718208.tif 000004